(57)【要約】【課題】  安価でグランド接続を確実に行うこと。【解決手段】  ケーシング内の光ピックアップを搭載したメインシャーシ２にディスク載置用トレイ３が前後進ａ，ｂ可能に配置され、該ケーシングの前面パネル１ｂにトレイ取出口４が開設され、該トレイ取出口４を開閉するための合成樹脂製開閉蓋５がトレイ３の前端に設けられ、該開閉蓋５の裏面に導電性膜１８が形成され、基端部２０ａをケーシング内のプリント基板にリード線１９を介してグランド接続した弾性変位可能な板ばね２０の先端部２０ｃを開閉蓋５の裏面に対向させており、ローディング信号に基づいてトレイ３をケーシング内に収納したときに、板ばね２０の先端部２０ｃに対して開閉蓋５の導電性膜１８を弾性的に当接させるようにした。【選択図】        図３
2006147090.tif 000002
【特許請求の範囲】
【請求項１】
ケーシング内の光ピックアップを搭載したメインシャーシにディスク載置用トレイが前
後進可能に配置され、該ケーシングの前面パネルにトレイ取出口が開設され、該トレイ取
出口を開閉するための合成樹脂製開閉蓋がトレイの前端に設けられており、アンローディ
ング信号に基づいてトレイ取出口から前方に突出させたトレイ上にディスクを載置し、ロ
ーディング信号に基づいてトレイを後進させた後、光ピックアップによりディスクに記録
されている情報を読み取るようにしたディスク装置において、前記開閉蓋の裏面に導電性
膜が形成され、ケーシング内のプリント基板から延びるリード線の端部と弾性変位可能な
板ばねの基端部とを重合させてメインシャーシにビスで止着し、該板ばねの基端部に一体
形成した回り止め片をメインシャーシに係合させることにより、その板ばねの先端部を前
記開閉蓋の裏面に対向させており、ローディング信号に基づいてトレイをケーシング内に
収納したときに、板ばねの先端部に対して開閉蓋の導電性膜を弾性的に当接させるように
したことを特徴とするディスク装置。
【請求項２】
ケーシング内の光ピックアップを搭載したメインシャーシにディスク載置用トレイが前
後進可能に配置され、該ケーシングの前面パネルにトレイ取出口が開設され、該トレイ取
出口に合成樹脂製開閉蓋が常時閉鎖方向に付勢された状態で開閉可能に配置されており、
アンローディング信号に基づいて前進させたトレイの前端で開閉蓋を押して開動させ、こ
れにより、前方に突出させたトレイ上にディスクを載置し、ローディング信号に基づいて
トレイを後進させた後、光ピックアップによりディスクに記録されている情報を読み取る
ようにしたディスク装置において、前記開閉蓋の裏面に導電性膜が形成され、ケーシング
内のプリント基板に印刷した配線の端部と弾性変位可能な板ばねの基端部とを重合させて
該プリント基板にビスで止着し、該板ばねの基端部に一体形成した回り止め片をプリント
基板の係合孔に係合させることにより、その板ばねの先端部を前記開閉蓋の裏面に対向さ
せており、ローディング信号に基づいてトレイをケーシング内に収納したときに、板ばね
の先端部に対して閉動させた開閉蓋の導電性膜を弾性的に当接させるようにしたことを特
徴とするディスク装置。
【請求項３】
ケーシング内の光ピックアップを搭載したメインシャーシにディスク載置用トレイが前
後進可能に配置され、該ケーシングの前面パネルにトレイ取出口が開設され、該トレイ取
出口を開閉するための合成樹脂製開閉蓋がトレイの前端またはそのトレイ取出口に常時閉
鎖方向に付勢された状態で設けられており、アンローディング信号に基づいてトレイ取出
口から前方に突出させたトレイ上にディスクを載置し、ローディング信号に基づいてトレ
イを後進させた後、光ピックアップによりディスクに記録されている情報を読み取るよう
にしたディスク装置において、前記開閉蓋の裏面に導電性膜が形成され、基端部をケーシ
ング内のプリント基板または該ケーシングにグランド接続した弾性変位可能な板ばねの先
端部を前記開閉蓋の裏面に対向させており、ローディング信号に基づいてトレイをケーシ
ング内に収納したときに、板ばねの先端部に対して開閉蓋の導電性膜を弾性的に当接させ
るようにしたことを特徴とするディスク装置。
【請求項４】
前記板ばねの基端部がプリント基板から延びるリード線または該プリント基板に印刷し
た配線の端部と重合させた状態でメインシャーシまたはプリント基板にビスで止着されて
いることを特徴とする請求項３に記載のディスク装置。
【請求項５】
前記メインシャーシまたはプリント基板に係合する回り止め片が板ばねの基端部に一体
形成されていることを特徴とする請求項４に記載のディスク装置。
【発明の詳細な説明】
【技術分野】
【０００１】
本発明は、例えばＤＶＤなどのディスクに対する再生や記録または消去を行うためのデ
ィスク装置に関する。
【背景技術】
【０００２】
ディスク装置の一例として図７に示すものがある。これは、互いに連結した金属製ケー
シング本体１ａと合成樹脂製前面パネル１ｂとからなるケーシング１内のメインシャーシ
２にディスクＤ載置用トレイ３が前後進ａ，ｂ可能に配置され、前面パネル１ｂにトレイ
取出口４が開設され、該トレイ取出口４を開閉するための合成樹脂製開閉蓋５がトレイ３
の前端に着脱可能に設けられている。
【０００３】
前記トレイ３の下方のドライブシャーシ７の後端部をメインシャーシ２の後部２ａにゴ
ムなどの弾性体８ａを介して連結すると共に、該ドライブシャーシ７の前端部を昇降部材
９に弾性体８ｂを介して連結することにより、そのドライブシャーシ７が後側弾性体８ａ
を中心に上下動ｃ，ｄ可能に形成され、昇降部材９の突設したカム軸１０がメインシャー
シ２の前部２ｂに前後進ａ，ｂ方向とは直交する左右方向に移動可能に配置したカム板１
１のカム溝１１ａに係合され、ドライブシャーシ７に、ターンテーブル１２付きスピンド
ルモータ１３とディスクＤの半径方向に移動可能な光ピックアップ１４とが配置されてい
る。なお、１５はターンテーブル１２に対向してメインシャーシ２上の天板部２ｃに一定
範囲内昇降可能に配置した磁石付きディスクホルダ、１６はケーシング本体１ａ内の下部
に配置したプリント基板である。
【０００４】
上記構成において、図７に実線で示す状態からアンローディング信号に基づいて光ピッ
クアップ１４を待機位置まで移動させた後、ローディングモータの正転駆動によりカム板
１１を一方向に移動させてカム溝１１ａ、カム軸１０及び昇降部材９を介してドライブシ
ャーシ７を後側弾性体８ａを中心に下動ｄさせ、これによって、ディスクＤをトレイ３上
に載置すると共に、ターンテーブル１２をトレイ３よりも下げ、続いて、トレイ３をトレ
イ取出口４を通って前進ａさせ（図７仮想線参照）、その最前進ａ状態のトレイ３上から
ディスクＤを取り出したり該トレイ３上に新たなディスクＤを載置し、その後、ローディ
ング信号に基づいてトレイ３を後進ｂさせた後にドライブシャーシ７を上動ｃさせ、トレ
イ３上のディスクＤをターンテーブル１２で持ち上げる（図７実線参照）。
【０００５】
続いて、スピンドルモータ１３によりターンテーブル１２を介してディスクＤを高速回
転させ、光ピックアップ１４をディスクＤの半径方向に沿って移動させることにより、該
光ピックアップ１４でディスクＤに記録されている情報を読み取り、再生や記録または消
去の動作を行う。
【０００６】
上記構成によれば、開閉蓋５が合成樹脂材により成形されているため、光ピックアップ
１４の半導体レーザの駆動などによる雑音電波輻射がトレイ取出口４から外部に流出して
他の機器に対して電波妨害を生じさせるおそれがある。
【０００７】
従来、上記欠点を解消する技術として特許文献１に記載したものがある。これは、前面
パネル１ｂの裏面に金属製カバーを配置し、該金属製カバーに導電性樹脂で形成した開閉
蓋５を接触させ、これによって、開閉蓋５から金属製カバーを介してグランド接続（アー
ス接続）させるものである。
【特許文献１】特開平２−３０１０８８号公報
【発明の開示】
【発明が解決しようとする課題】
【０００８】
上記従来の構成では、雑音電波輻射による他の機器への妨害を減らすために、開閉蓋５
を高価な導電性樹脂で形成しており、これでは、材料費が高くつくと共に、その導電性開
閉蓋５をグランド接続するために比較的大型の金属製カバーを特別に用いているため、こ
の点でも材料費が高くつき、そのカバーに対する開閉蓋５の接触が不確実でグランド接続
が遮断されるおそれもある。
【０００９】
本発明は、上記従来の欠点に鑑み、安価でグランド接続を確実に行うことができるよう
にしたディスク装置を提供することを目的としている。
【課題を解決するための手段】
【００１０】
上記目的を達成するため、請求項１に記載の発明は、ケーシング内の光ピックアップを
搭載したメインシャーシにディスク載置用トレイが前後進可能に配置され、該ケーシング
の前面パネルにトレイ取出口が開設され、該トレイ取出口を開閉するための合成樹脂製開
閉蓋がトレイの前端に設けられており、アンローディング信号に基づいてトレイ取出口か
ら前方に突出させたトレイ上にディスクを載置し、ローディング信号に基づいてトレイを
後進させた後、光ピックアップによりディスクに記録されている情報を読み取るようにし
たディスク装置において、前記開閉蓋の裏面に導電性膜が形成され、ケーシング内のプリ
ント基板から延びるリード線の端部と弾性変位可能な板ばねの基端部とを重合させてメイ
ンシャーシにビスで止着し、該板ばねの基端部に一体形成した回り止め片をメインシャー
シに係合させることにより、その板ばねの先端部を前記開閉蓋の裏面に対向させており、
ローディング信号に基づいてトレイをケーシング内に収納したときに、板ばねの先端部に
対して開閉蓋の導電性膜を弾性的に当接させるようにしたことを特徴としている。
【００１１】
請求項２に記載の発明は、ケーシング内の光ピックアップを搭載したメインシャーシに
ディスク載置用トレイが前後進可能に配置され、該ケーシングの前面パネルにトレイ取出
口が開設され、該トレイ取出口に合成樹脂製開閉蓋が常時閉鎖方向に付勢された状態で開
閉可能に配置されており、アンローディング信号に基づいて前進させたトレイの前端で開
閉蓋を押して開動させ、これにより、前方に突出させたトレイ上にディスクを載置し、ロ
ーディング信号に基づいてトレイを後進させた後、光ピックアップによりディスクに記録
されている情報を読み取るようにしたディスク装置において、前記開閉蓋の裏面に導電性
膜が形成され、ケーシング内のプリント基板に印刷した配線の端部と弾性変位可能な板ば
ねの基端部とを重合させて該プリント基板にビスで止着し、該板ばねの基端部に一体形成
した回り止め片をプリント基板の係合孔に係合させることにより、その板ばねの先端部を
前記開閉蓋の裏面に対向させており、ローディング信号に基づいてトレイをケーシング内
に収納したときに、板ばねの先端部に対して閉動させた開閉蓋の導電性膜を弾性的に当接
させるようにしたことを特徴としている。
【００１２】
請求項３に記載の発明は、ケーシング内の光ピックアップを搭載したメインシャーシに
ディスク載置用トレイが前後進可能に配置され、該ケーシングの前面パネルにトレイ取出
口が開設され、該トレイ取出口を開閉するための合成樹脂製開閉蓋がトレイの前端または
そのトレイ取出口に常時閉鎖方向に付勢された状態で設けられており、アンローディング
信号に基づいてトレイ取出口から前方に突出させたトレイ上にディスクを載置し、ローデ
ィング信号に基づいてトレイを後進させた後、光ピックアップによりディスクに記録され
ている情報を読み取るようにしたディスク装置において、前記開閉蓋の裏面に導電性膜が
形成され、基端部をケーシング内のプリント基板または該ケーシングにグランド接続した
弾性変位可能な板ばねの先端部を前記開閉蓋の裏面に対向させており、ローディング信号
に基づいてトレイをケーシング内に収納したときに、板ばねの先端部に対して開閉蓋の導
電性膜を弾性的に当接させるようにしたことを特徴としている。
【００１３】
請求項４に記載の発明は、請求項３に記載の発明において、前記板ばねの基端部がプリ
ント基板から延びるリード線または該プリント基板に印刷した配線の端部と重合させた状
態でメインシャーシまたはプリント基板にビスで止着されていることを特徴としている。
【００１４】
請求項５に記載の発明は、請求項４に記載の発明において、前記メインシャーシまたは
プリント基板に係合する回り止め片が板ばねの基端部に一体形成されていることを特徴と
している。
【発明の効果】
【００１５】
請求項１に記載の発明は第１の実施の形態（図１〜図３参照）に対応するものであって
、これによれば、開閉蓋の裏面に形成した導電性膜から板ばねを介してグランド接続（ア
ース接続）させており、光ピックアップの半導体レーザの駆動などによる雑音電波輻射の
トレイ取出口からの流出を阻止するから、他の機器に対する電波妨害を確実に解消するこ
とができる。
【００１６】
また、ローディング信号に基づいてトレイをケーシング内に収納したときに、板ばねの
先端部に対して開閉蓋の導電性膜を弾性的に当接させるから、グランド接続を確実に行う
ことができる。
【００１７】
更に、グランド接続に安価な板ばねとリード線を用いているから、従来の金属製カバー
を用いる場合に比べて製作費を安くすることができる。
【００１８】
また更に、プリント基板から延びるリード線の端部に板ばねの基端部を重合させ、該板
ばねの基端部をメインシャーシにビスで止着するだけで、その板ばねを所定位置に確実に
固定すると同時に、開閉蓋の導電性膜とプリント基板とを導通させることができる。
【００１９】
しかも、板ばねに一体形成した回り止め片をメインシャーシに係合させることにより、
該板ばねが不測に傾かないようにしてその板ばねの先端部を開閉蓋の導電性膜に確実に対
向させることができる。
【００２０】
要するに、トレイの前端に設けた開閉蓋によりトレイ取出口を開閉するタイプにおいて
、安価でグランド接続を確実に行うことができるようにしたディスク装置を提供するもの
である。
【００２１】
請求項２に記載の発明は第２の実施の形態（図４〜図６参照）に対応するものであって
、これによれば、請求項１に記載の発明とほぼ同様の効果を得ることができ、特に、プリ
ント基板に印刷した配線の端部と弾性変位可能な板ばねの基端部とを重合させて該プリン
ト基板にビスで止着するようになっているから、板ばねとプリント基板とをリード線で接
続することが不要で、その不要となった分だけ製作費を安くすることができる。
【００２２】
要するに、トレイ取出口に配置した開閉蓋をトレイの前端で開動させるタイプにおいて
、一層安価でグランド接続を確実に行うことができるようにしたディスク装置を提供する
ものである。
【００２３】
請求項３に記載の発明は基本形態に対応するものであって、これによれば、開閉蓋の裏
面に形成した導電性膜から板ばねを介してグランド接続（アース接続）させており、光ピ
ックアップの半導体レーザの駆動などによる雑音電波輻射のトレイ取出口からの流出を阻
止するから、他の機器に対する電波妨害を確実に解消することができる。
【００２４】
また、ローディング信号に基づいてトレイをケーシング内に収納したときに、板ばねの
先端部に対して開閉蓋の導電性膜を弾性的に当接させるから、グランド接続を確実に行う
ことができる。
【００２５】
更に、グランド接続に安価な板ばねを用いているから、従来の金属製カバーを用いる場
合に比べて製作費を安くすることができる。
【００２６】
請求項４に記載の発明によれば、プリント基板から延びるリード線または該プリント基
板に印刷した配線の端部に板ばねの基端部を重合させ、該板ばねの基端部をメインシャー
シにビスで止着するだけで、その板ばねを所定位置に確実に固定すると同時に、開閉蓋の
導電性膜とプリント基板とを導通させることができる。
【００２７】
請求項５に記載の発明によれば、板ばねに一体形成した回り止め片をメインシャーシま
たはプリント基板に係合させることにより、該板ばねが不測に傾かないようにしてその板
ばねの先端部を開閉蓋の導電性膜に確実に対向させることができる。
【発明を実施するための最良の形態】
【００２８】
図１〜図３は本発明の第１の実施の形態であるディスク装置を示すものであって、合成
樹脂製開閉蓋５の裏面に突設した係合片５ａをトレイ３の前端に着脱可能に係合させるこ
とにより、該開閉蓋５がトレイ３の前端に設けられ、その開閉蓋５の裏面に金属シールや
導電性塗料などからなる導電性膜１８が形成され、ケーシング１内のプリント基板１６か
ら延びるリード線１９の端部１９ａと弾性変位可能な板ばね２０の基端部２０ａとを重合
させ、その重合部分の貫通孔２１，２２を通ってメインシャーシ２のねじ孔にビス２３を
ねじ込むと共に、板ばね２０の基端部２０ａに一体形成した略Ｌ字状回り止め片２０ｂを
メインシャーシ２の前部２ｂの下端縁２４に係合させることにより、その板ばね２０の先
端部２０ｃを開閉蓋５の裏面に対向させている。上記以外の構成は図７に示す構成とほぼ
同じであるから、同一部分に同一符号を付してその説明を省略する。
【００２９】
上記構成によれば、開閉蓋５の裏面に形成した導電性膜１８から板ばね２０及びリード
線１９を介してプリント基板１６にグランド接続（アース接続）させており、光ピックア
ップ１４の半導体レーザの駆動などによる雑音電波輻射のトレイ取出口４からの流出を阻
止するから、他の機器に対する電波妨害を確実に解消することができる。
【００３０】
また、図１及び図３に示すように、ローディング信号に基づいてトレイ３をケーシング
１内に収納したときに、板ばね２０の先端部２０ｃに対して開閉蓋５の導電性膜１８を弾
性的に当接させるから、グランド接続を確実に行うことができる。
【００３１】
更に、グランド接続に安価な板ばね２０とリード線１９とを用いているから、従来の金
属製カバーを用いる場合に比べて製作費を安くすることができる。
【００３２】
また更に、プリント基板１６から延びるリード線１９の端部１９ａに板ばね２０の基端
部２０ａを重合させ、該板ばね２０の基端部２０ａをメインシャーシ２にビス２３で止着
するだけで、その板ばね２０を所定位置に確実に固定すると同時に、開閉蓋５の導電性膜
１８とプリント基板１６とを導通させることができる。
【００３３】
しかも、板ばね２０に一体形成した回り止め片２０ｂをメインシャーシ２の下端縁２４
に係合させることにより、該板ばね２０が不測に傾かないようにしてその板ばね２０の先
端部２０ｃを開閉蓋５の導電性膜１８に確実に対向させることができる。
【００３４】
要するに、トレイ３の前端に設けた開閉蓋５によりトレイ取出口４を開閉するタイプに
おいて、安価でグランド接続を確実に行うことができるようにしたディスク装置を提供す
るものである。
【００３５】
図４〜図６は本発明の第２の実施の形態であるディスク装置を示すものであって、これ
は、トレイ取出口４に開閉ｅ，ｆ可能に配置した開閉蓋５の裏面両端に左右一対の側面視
略コ字状枠部２６が一体突設されると共に、該各枠部２６の下端に左右一対の支軸２７が
同心状に一体突設されたものであって、該各支軸２７を前面パネル１ｂの裏面に突設した
左右一対のブラケット２８に貫設した軸受孔２８ａに挿通し、一方の支軸２７に巻回した
ばね２９により開閉蓋５を閉鎖方向ｆに付勢している。なお、３０は他方の支軸２７の側
方において前面パネル１ｂの裏面に突設した開閉蓋位置決め突起部、３１は電源などの操
作釦である。
【００３６】
上記構成において、図６（ａ）に示す状態から電源をオン操作し、アンローディング信
号に基づいてトレイ３を前進ａさせることにより、図６（ｂ）に示すように、トレイ３の
前端により開閉蓋５をばね２９に抗して押し開き、これにより、前方に突出させたトレイ
３上にディスクＤを載置する。続いて、ローディング信号に基づいてトレイ３を後進ｂさ
せると、開閉蓋５がばね２９により閉鎖方向ｆに開動されてトレイ取出口４を塞ぎ、その
後、ディスクＤに対して再生や録画または消去の操作が行われる。
【００３７】
図５及び図６に示すように、開閉蓋５の裏面に導電性膜１８が形成され、ケーシング１
内のプリント基板１６に印刷した配線３２の端部３２ａと弾性変位可能な板ばね２０の基
端部２０ａとを重合させ、その重合部分の貫通孔２１，２２を通ってメインシャーシ２の
ねじ孔にビス２３をねじ込むと共に、板ばね２０の基端部２０ａに一体形成した略Ｌ字状
回り止め片２０ｂをプリント基板１６の係合孔３４に係合させることにより、その板ばね
２０の先端部２０ｃを開閉蓋５の裏面に対向させており、ローディング信号に基づいてト
レイ３をケーシング１内に収納したときに、板ばね２０の先端部２０ｃに対して閉動ｆさ
せた開閉蓋５の導電性膜１８を弾性的に当接させるようにした。上記以外の構成は図１〜
図３に示す第１の実施の形態とほぼ同じであるから、同一部分に同一符号を付してその説
明を省略する。
【００３８】
上記構成によれば、第１の実施の形態とほぼ同様の効果を得ることができ、特に、プリ
ント基板１６に印刷した配線３２の端部３２ａと弾性変位可能な板ばね２０の基端部２０
ａとを重合させて該プリント基板１６にビス２３で止着するようになっているから、第１
の実施の形態のように板ばね２０とプリント基板１６とをリード線１９（図１参照）で接
続することが不要で、その不要となった分だけ製作費を安くすることができる。
【００３９】
要するに、トレイ取出口４に配置した開閉蓋５をトレイ３の前端で開動ｅさせるタイプ
において、一層安価でグランド接続を確実に行うことができるようにしたディスク装置を
提供するものである。
【産業上の利用可能性】
【００４０】
上記の第１、第２の実施の形態では、板ばね２０をプリント基板１６にグランド接続し
たが、これに限定されるわけではなく、板ばね２０を金属製ケーシング本体１ａにグラン
ド接続するようにしてもよい。
【図面の簡単な説明】
【００４１】
【図１】本発明の第１の実施の形態であるディスク装置を示す縦断面図である。
【図２】同要部の分解斜視図である。
【図３】同要部の縦断断面図である。
【図４】本発明の第２の実施の形態であるディスク装置を示す正面図である。
【図５】同要部の分解斜視図である。
【図６】（ａ）は同ローディング状態を示す要部の縦断面図、（ｂ）は同アンローディング状態を示す要部の縦断面図である。
【図７】従来例を示す縦断面図である。
【符号の説明】
【００４２】
１        ケーシング
１ａ      ケーシングの前面パネル
２        メインシャーシ
３        トレイ
４        トレイ取出口
５        開閉蓋
１４      光ピックアップ
１６      プリント基板
１８      導電性膜
１９      リード線
１９ａ    リード線の端部
２０      板ばね
２０ａ    板ばねの基端部
２０ｂ    板ばねの回り止め片
２０ｃ    板ばねの先端部
２３      ビス
３２      配線
３２ａ    配線の端部
Ｄ        ディスク
ａ，ｂ    前後進
【図１】
2006147090.tif 000003
【図２】
2006147090.tif 000004
【図３】
2006147090.tif 000005
【図４】
2006147090.tif 000006
【図５】
2006147090.tif 000007
【図６】
2006147090.tif 000008
【図７】
2006147090.tif 000009